(57)【要約】処置具を該当機器（電気メス装置、超音波出力装置）に接続すると、各機器（電気メス装置、超音波出力装置）からシステムコントローラに、処置具の種別、及び、モード、設定情報を送信することで、システムコントローラで新しい処置具に対しても、表示、及び、操作を可能とする。これにより新しく開発された電気メス、及び、処置具をシステムコントローラと組み合わせても、システムコントローラが各医療機器の固定情報を取得可能であり、操作性か向上し、またシステムコントローラにて誤って処置具の定格を超える設定を行うことかあっても、前記取得された固定情報により、処置具の絶縁破壊等の破損から防ぐ。
2004037104.tif 000002
【特許請求の範囲】
【請求項１】
生体組織を処置する一つ若しくは複数の電気的処置具と、前記電気的処置具を接続する処置具駆動装置と、前記処置具駆動装置を制御するシステムコントローラとを備えた電気手術システムにおいて、
前記処置具駆動装置に接続された前記電気的処置具の複数の動作パラメータを読み取る読み取り手段と、
前記読み取り手段で読み取った複数の前記動作パラメータに基づいて、前記システムコントローラが前記処置具駆動装置を制御可能な制御パラメータ範囲を決定する制御パラメータ範囲決定手段と
を具備することを特徴とする電気手術システム。
【請求項２】
前記制御パラメータ範囲決定手段は、複数の前記動作パラメータに優先度を付与する
を具備することを特徴とする請求項１に記載の電気手術システム。
【請求項３】
前記処置具駆動装置は、電気メス装置である
ことを特徴とする請求項１または２に記載の電気手術システム。
【請求項４】
前記電気的処置具は、モノポーラ処置具
ことを特徴とする請求項３に記載の電気手術システム。
【請求項５】
前記電気的処置具は、バイポーラ処置具
ことを特徴とする請求項３に記載の電気手術システム。
【請求項６】
前記処置具駆動装置は、超音波出力装置である
ことを特徴とする請求項１または２に記載の電気手術システム。
【請求項７】
前記電気的処置具は、凝固切開用処置具である
ことを特徴とする請求項６に記載の電気手術システム。
【請求項８】
前記電気的処置具は、結石破砕処置具である
ことを特徴とする請求項６に記載の電気手術システム。
【請求項９】
前記電気的処置具は、超音波吸引処置具である
ことを特徴とする請求項６に記載の電気手術システム。
【請求項１０】
送水吸引装置を備えた
ことを特徴とする請求項８または９に記載の電気手術システム。
【請求項１１】
生体組織を処置する一つ若しくは複数の電気的処置具と、前記電気的処置具を接続する処置具駆動装置と、前記処置具駆動装置を制御するシステムコントローラとを備えた電気手術システムの制御方法において、
前記複数の電気的処置具と前記システムコントローラ４との回線を確立する回線確立ステップと、
前記複数の電気的処置具に接続されている処置具の種別情報及び設定情報を前記複数の電気的処置具から前記システムコントローラに送信する情報送信ステップと、
そして、前記システムコントローラ４において前記種別情報及び設定情報に基づき前記複数の電気的処置具の出力設定値を初期化する初期化ステップと
を備えたことを特徴とする電気手術システムの制御方法。
【請求項１２】
前記電気的処置具は、電気メス装置である
ことを特徴とする請求項１１に記載の電気手術システムの制御方法。
【請求項１３】
前記電気的処置具は、超音波出力装置である
ことを特徴とする請求項１１に記載の電気手術システムの制御方法。
【請求項１４】
前記電気的処置具は、送水吸引装置である
ことを特徴とする請求項１１に記載の電気手術システムの制御方法。
【請求項１５】
生体組織を処置する一つ若しくは複数の電気的処置具と、前記電気的処置具を接続する処置具駆動装置と、前記処置具駆動装置を制御するシステムコントローラとを備えた電気手術システムにおいて、
前記複数の電気的処置具と前記システムコントローラ４との回線を確立する回線確立手段と、
前記複数の電気的処置具に接続されている処置具の種別情報及び設定情報を前記複数の電気的処置具から前記システムコントローラに送信する情報送信手段と、
そして、前記システムコントローラ４において前記種別情報及び設定情報に基づき前記複数の電気的処置具の出力設定値を初期化する初期化手段と
を備えたことを特徴とする電気手術システム。
【請求項１６】
前記電気的処置具は、電気メス装置である
ことを特徴とする請求項１５に記載の電気手術システム。
【請求項１７】
前記電気的処置具は、超音波出力装置である
ことを特徴とする請求項１５に記載の電気手術システム。
【請求項１８】
前記電気的処置具は、送水吸引装置である
ことを特徴とする請求項１５に記載の電気手術システム。
【請求項１９】
超音波処置装置により生体組織を処置する際に前記生体組織に対して送水吸引を行う送水吸引装置の処置制御方法において、
接続されている処置具の種別を検知する検知ステップと、
検知された前記処置具が超音波吸引処置具であるかどうか判断する処置具判断ステップと、
前記処置具判断ステップの判断結果に基づき前記送水吸引装置の送水設定範囲を設定する送水設定範囲設定ステップと
を具備したことを特徴とする超音波処置装置の処置制御方法。
【請求項２０】
超音波処置装置により生体組織を処置する際に前記生体組織に対して送水吸引を行う送水吸引装置において、
接続されている処置具の種別を検知する検知手段と、
検知された前記処置具が超音波吸引処置具であるかどうか判断する処置具判断手段と、
前記処置具判断ステップの判断結果に基づき前記送水吸引装置の送水設定範囲を設定する送水設定範囲設定手段と
を具備したことを特徴とする超音波処置装置。
【発明の詳細な説明】
【技術分野】    本発明は電気的に治療のための処置を行う電気手術システムに関する。
【背景技術】    近年、高周波電流を通電して治療のための処置を行う電気メス装置や超音波を利用して治療のための処置を行う超音波処置装置等の電気処置装置が広く用いられるようになった。
例えば日本国特開２０００−２５４１４２号公報の電気外科手術装置においては、処置具の絶縁破壊を防止するために、処置具の定格電圧を電気外科手術装置に入力することで、電気外科手術装置の出力電圧が処置具の定格電圧以下になるような電気外科手術装置が開示されている。
また、日本国特開昭６４−６７２８６号公報では、超音波手術装置の中の、特に結石破砕装置に適した、周波数／振幅を変調した超音波出力方式が開示されている。
さらに、日本国特開２００１−１６６９５８号公報には、医療機器に格納されているプログラムを外郎の遠隔操作用コンピュータから、通信回線を利用して、書換え／更新できるシステムが開示されている。
しかしながら、電気外科手術装置における複数の医療機器が接続するシステムコントローラにおいては、処置具を判別した結果、各医療機器を自動設定できることにより操作性の向上をもたらすが、システムコントローラには各医療機器の固定情報をあらかじめ入力しておく必要があり、各医療機器が新しい処置具に対応するため、または、各医療機器に各種モードが追加された場合には、その都度、システムコントローラのバージョンアップを行う必要があり、従来の電気外科手術システムはメンテナンスを常に必要とするいった問題がある。
本発明は、上記事情に鑑みてなされたものであり、本発明の結果、新しく開発された電気メス、及び、処置具をシステムコントローラと組み合わせても、システムコントローラが各医療機器の固定情報を取得可能であり、操作性が向上し、またシステムコントローラにて誤って処置具の定格を超える設定を行うことがあっても、前記取得された固定情報により、処置具の絶縁破壊等の破損から防ぐことのできるフレキシブル且つ安全な電気手術システムを提供することを目的としている。
【発明の開示】
本発明の電気手術システムは、生体組織を処置する一つ若しくは複数の電気的処置具と、前記電気的処置具を接続する処置具駆動装置と、前記処置具駆動装置を制御するシステムコントローラとを備えた電気手術システムにおいて、前記処置具駆動装置に接続された前記電気的処置具の複数の動作パラメータを読み取る読み取り手段と、前記読み取り手段で読み取った複数の前記動作パラメータに基づいて、前記システムコントローラが前記処置具駆動装置を制御可能な制御パラメータ範囲を決定する制御パラメータ範囲決定手段とを備えて構成される。
本発明のその他の特徴及び利益は、次の説明を以て十分明白になるであろう。
【図面の簡単な説明】    図１ないし図９は本発明の一実施の形態に係わり、図１は電気外科手術システムの構成を示す構成図、図２は図１の電気メス装置の構成を示すブロック図、図３は図１の超音波出力装置の構成を示すブロック図、図４は図１の送水吸引装置の構成を示すブロック図、図５は図１のシステムコントローラの構成を示すブロック図、図６は図１の電気外科手術システムの作用を説明する第１のフローチャート、図７は図１の電気メス装置が判別した接続されている処置具の種別を示す送信データのデータ構造を示す図、図８は図１の超音波出力装置が判別した接続されている処置具の種別を示す送信データのデータ構造を示す図、図９は図１の電気外科手術システムの作用を説明する第２のフローチャートである。
発明を実施するための最良な形態
本発明をより詳細に説述するために、添付の図面に従ってこれを説明する。
本実施の形態の電気外科手術システムは、図１に示すように、電気メス装置１、超音波出力装置２、送水吸引装置３及びシステムコントローラ４とから構成され、電気メス装置１、超音波出力装置２及び送水吸引装置３がシステムコントローラ４と通信ケーブル５により接続され、互いにステータス、制御情報の送受信を行うようになっている。
電気メス装置１には、モノポーラ処置具６、又は、バイポーラ処置具７が電気メスコード１１により選択的に接続され、電気メス装置１は、各処置具先端から電気メス出力を組織に印加することで、組織を切開、及び、凝固するのに用いられる。
超音波出力装置２には、凝固切開用処置具８、超音波吸引処置具９、結石破砕処置具１０が、超音波ケーブル１２により選択的に接続され、超音波出力装置２は、各処置具先端から超音波出力を発生することで、組織を凝固切開、乳化吸引、破砕吸引するのに用いられる。
また、送水吸引装置３には、超音波吸引処置具９、結石破砕処置具１０が、送水吸引チューブ１３により選択的に接続され、送水吸引装置３は、各処置具先端から洗浄水を送水すると共に、乳化した組織を吸引、又は、破砕した結石を吸引するのに用いられる。
また、電気メス装置１は、図２に示すように、モノポーラ処置具６またはバイポーラ処置具７の電気コード１４を接続するためのコネクタ２５と、このコネクタ２５に接続された処置具に設けられたＩＤを検出する処置具ＩＤ検出部２４と、コネクタ２５を介して処置具に処置用の高周波電流を発生して出力する出力部２３と、出力部２３で発生される高周波電流を制御する制御部２２と、処置具ＩＤ検出部２４から送信される処置具ＩＤ情報及び出力部２３の制御情報を制御部２２とシステムコントローラ４との間で通信するデータ送受信部２１とで構成されている。
超音波出力装置２は、図３に示すように、凝固切開処置具８、超音波吸引処置具９、または結石破砕処置具１０の超音波ケーブル１２を接続するためのコネクタ３５と、このコネクタ３５に接続された処置具に設けられたＩＤを検出する処置具ＩＤ検出部３４と、コネクタ３５を介して処置具に設けらられた超音波振動子に駆動信号を発生して出力する出力部３３と、出力部３３で発生される駆動信号を制御する制御部３２と、処置具ＩＤ検出部３４から送信される処置具ＩＤ情報及び出力部２３の制御情報を制御部３２とシステムコントローラ４との間で通信するデータ送受信部３１とで構成されている。
また、送水吸引装置３は、図４に示すように、超音波吸引処置具９、または結石破砕処置具１０の送水吸引チューブ１３を接続するためのコネクタ４５と、このコネクタ４５介して処置具に送水する送水部４３と、コネクタ４５を介して処置具から吸引する吸引部４４と、送水部４３及び吸引部４４を制御する制御部４２と、送水部４３及び吸引部４４の制御情報を制御部４２とシステムコントローラ４との間で通信するデータ送受信部４１とで構成されている。
さらに、システムコントローラ４は、図５に示すように、電気メス装置１、超音波出力装置２、及び送水吸引装置３を操作するために操作画面を表示するとともに、この表示された操作画面から操作指示情報を入力可能にクッチパネル機能を有する操作・表示部５３と、電気メス装置１、超音波出力装置２及び送水吸引装置３の動作パラメータや制御コマンド等のデータや制御プログラムを格納するためのメモリ部５４と、この格納された制御プログラムを実行することにより各装置を集中制御する制御部５２と、データ送受信部２１、３１、または４１との間で通信するデータ送受信部５１とで構成され、システムコントローラ４は、操作・表示部５３で、電気メス装置１、超音波出力装置２、送水吸引装置３の各装置の操作、及び、モード、設定出力の表示が可能となっている。
次に、本実施の形態の特徴について説明する。近年、内視鏡外科の発達に伴い、精密な処置具が開発されている。その構造が精密であるがゆえ、その処置具を用いるときには、電気メス装置の設定、及び、超音波出力装置の設定は、各機器の定格出力よりも低い設定で使用する必要がある。仮に、これ以上の設定を行い、上記処置具から出力すると、処置具の破壊を招く。
このような問題を解決するため、従来より各機器では、ここでは図示しないが、処置具の種別を判別し、その処置具に応じた出力モード、出力設定の上限を規定している。
しかし、従来のシステムコントローラでは、各機器の操作が可能なことから、あらかじめ処置具の種類をメモリに記憶し、その処置具が接続されたら、その処置具に応じた設定情報をメモリから読み出し、表示及び操作を可能としていた。
このため、システムコントローラが開発されてから、処置具が開発されると、システムコントローラのメモリに該当する処置具の種類、及び、設定情報が記憶されていない問題が発生し、システムコントローラのメモリをバージョンアップする必要があった。
本実施の形態の特徴は、処置具を該当機器（電気メス装置１、超音波出力装置２）に接続すると、各機器（電気メス装置１、超音波出力装置２）からシステムコントローラ４に、処置具の種別、及び、モード、設定情報を送信することで、システムコントローラ４で新しい処置具に対しても、表示、及び、操作を可能とすることである。
詳細には、図６に示すように、ステップＳ１で各機器（電気メス装置１、超音波出力装置２）とシステムコントローラ４との回線を確立し、ステップＳ２で各機器（電気メス装置１、超音波出力装置２）にて処置具の種別（ＩＤ）からモード、設定範囲データを生成し、ステップＳ３で各機器（電気メス装置１、超音波出力装置２）に接続されている処置具の種別（ＩＤ）、モード、設定範囲等の送信データを各機器（電気メス装置１、超音波出力装置２）からシステムコントローラ４に送信する。そして、ステップＳ４でシステムコントローラ４では送信データをメモリ部５４に格納し保持することで、各機器（電気メス装置１、超音波出力装置２）の出力設定値を初期化し、ステップＳ５でシステムコントローラ４において、ユーザからの各機器（電気メス装置１、超音波出力装置２）のモード設定、出力設定を受け付け、システムコントローラ４により各機器（電気メス装置１、超音波出力装置２）の制御を開始し処理を終了する。
（１）電気メス装置１に対する対応；
例えば、電気メス装置１に、新しく開発されたモノポーラ処置具６、又は、バイポーラ処置具７を接続する。
電気メス装置１は接続された処置具を判別し、システムコントローラ４に対して、例えば図７に示すような処置具種別のための処置具ＩＤデータ、モノポーラ／バイポーラ種別データ、許容モード（切開／凝固）データ、許容出力範囲データからなる送信データを送信する。
図７を例に説明すると、電気メス装置１にモノポーラ処置具６を接続した場合には、以下のような送信データが送信される。
（１−１）モノポーラ処置具６：
処置具ＩＤデータ＝処置具ＩＤ、モノポーラ／バイポーラ種別データ＝モノポーラ、許容モード（切開／凝固）データ＝切開及び凝固、許容出力範囲データ＝切開０〜１５０Ｗ、凝固０〜８０Ｗ。
（１−２）バイポーラ処置具７：
処置具ＩＤデータ：処置具ＩＤ、モノポーラ／バイポーラ種別データ＝バイポーラ、許容モード（切開／凝固）データ＝凝固、許容出力範囲データ＝凝固０〜１００Ｗ。
（２）超音波出力装置２に対する対応；
超音波出力装置２の場合、使用する処置具により、送水吸引装置３との連動制御がなされる。
例えば、超音波出力装置２に、新しく開発された凝固切開用処置具８、超音波吸引処置具９、又は、結石破砕処置具１０を接続する。
超音波出力装置２は接続された処置具を判別し、システムコントローラ４に対して、例えば図８に示すような処置具種別のための処置具ＩＤデータ、モノポーラ／バイポーラ種別データ、出力モードデータ、送水吸引装置３との連動／非連動データ、超音波出力設定範囲データ、送水設定範囲データ、吸引設定範囲データからなる送信データを送信する。
図８を例に説明すると、超音波出力装置２に凝固切開用処置具８を接続した場合には、以下のような送信データが送信される。
なお、超音波出力装置２の各処置具の出力設定の上限は、その処置具の先端形状や、先端振幅により決定される。例えば、細い処置具の場合、処置具先端の超音波振動による応力歪みが大きいため、許容される振幅は小さなものとなる。
（２−１）凝固切開処置具８：
処置具ＩＤデータ＝処置具ＩＤ、出力モードデータ＝正弦波出力、送水吸引装置３との連動／非連動データ＝非連動、超音波出力設定範囲データ＝超音波出力０〜１００％。
（２−２）超音波吸引処置具９：
処置具ＩＤデータ＝処置具ＩＤ、出力モードデータ＝正弦波出力、送水吸引装置３との連動／非連動データ＝連動、超音波出力設定範囲データ＝超音波出力０〜８０％、送水設定範囲データ＝送水３０〜１００％、吸引設定範囲データ＝吸引０〜１００％。
ここで、超音波吸引処置具９の場合は、洗浄水の送水の目的が単に組織を洗浄するだけではなく、処置具が超音波振動をすることにより発生する熱を冷却するため設定可能な送水量は０％からではない。
このため、各超音波設定に対して、許容できる最低送水量が規定されており、この最低送水量以下には送水量の設定は下げられない制御を行っている。
すなわち、超音波出力装置２では、図９に示すように、ステップＳ１１で接続されている処置具の種別を検知すると、ステップＳ１２でその処置具が超音波吸引処置具９であるかどうか判断し、超音波吸引処置具９ならばステップＳ１３で下限送水設定値を超音波出力設定値に基づき算出される最低送水値に設定し、ステップＳ１４で送水設定範囲を下限送水設定値（％）〜１００（％）として処理を終了する。ステップＳ１２において超音波吸引処置具９でないと判断すると、ステップＳ１５で送水設定を禁止し送水設定範囲を０（％）〜１００（％）として処理を終了する。
この処理は、送水吸引装置の送水設定に先立って、超音波吸引処置具９の最低送水量というパラメータにより高い優先度を与えるものであり、当該最低送水量を満足しない送水設定はすることができない。このような一定の動作パラメータに高い優先度を洗える例は本実施の形態にとどまらない。
このように超音波吸引処置具９を用いた場合には、送水吸引装置３の設定範囲は、他の機器（超音波出力装置２）の設定（超音波出力設定値）により制限される。
（２−３）結石破砕処置具１０：
処置具ＩＤデータ＝処置具ＩＤ、出力モードデータ＝変調出力、送水吸引装置３との連動／非連動データ＝連動、超音波出力設定範囲データ＝超音波出力０〜５０％、送水設定範囲データ＝送水０〜１００％、吸引設定範囲データ＝吸引０〜１００％。
ここで、送信データの出力モードデータは、凝固切開処置具８及び吸引処置具９を使用する場合には正弦波出力とすることで、組織への作用手順から、通常、連続した超音波出力を組織に投与することで所望の効果が得られる。一方、結石破砕処置具１０を使用する場合には、出力モードデータを変調出力とすることで、処置具先端を横振動させた方が砕石力が向上することが確認されているため、通常、変調した超音波出力を処置具に投与することで、結石に対して縦振動と横振動が投与され、所望の効果が得られる。
また、送水吸引装置３の連動／非連動は、通常、吸引処置具９を使用する場合には、組織を洗浄しながら、乳化した組織、及び、血液等を吸引するため、超音波出力に連動して、送水吸引を行うため連動となる。また、結石破砕処置具１０使用する場合にも、尿管、腎等の腔に洗浄水を充満させて結石を破砕して、その結石を吸引回収するため連動となる。その洗浄水の送水量の設定、及び、吸引量の設定を送水吸引装置３にて行う。
このような構成、作用を取ることで、新しく開発された電気メス、及び、処置具をシステムコントローラと組み合わせても、柔軟に対応が可能となり、操作性が向上し、またシステムコントローラにて処置具の定格を超える設定を行うことにより、処置具の絶縁破壊等の破損から防ぐことが可能となる。
なお、上記構成は、各処置具の種別を各機器に接続した結果、各機器で処置具の種別を判別し、それに基づき設定可能なモード、出力範囲をシステムコントローラに送信しているが、近年、メモリが小型化しているため、メモリを搭載した処置具自身に、そのデータが書き込まれていて、そのデータを各機器、及び、システムコントローラに送信して制御できるものであってもよい。この場合、全体的な構成の変化は、各機器で処置具を判別し、各種パラメータを記憶していたものが、各処置具に記憶部が移動したに過ぎない。
本発明は、上述した実施の形態に限定されるものではなく、本発明の要旨を変えない範囲において、種々の変更、改変等が可能である。
この発明においては、広い範囲において異なる実施態様が、発明の精神及び範囲から逸脱することなく、この発明に基づいて構成できることは明白である。この発明は、添付のクレームによって限定される以外には、それの特定実施態様によって制約されない。
【産業上の利用可能性】    以上のように、本発明に係る電気手術システムは、電気的処置具により生体組織を処置する装置として有用である。
【図１】
2004037104.tif 000003
【図２】
2004037104.tif 000004
【図３】
2004037104.tif 000005
【図４】
2004037104.tif 000006
【図５】
2004037104.tif 000007
【図６】
2004037104.tif 000008
【図７】
2004037104.tif 000009
【図８】
2004037104.tif 000010
【図９】
2004037104.tif 000011
【手続補正書】
【提出日】平成17年5月6日(2005.5.6)
【手続補正１】
【補正対象書類名】明細書
【補正対象項目名】全文
【補正方法】変更
【補正の内容】
【書類名】  明細書
【特許請求の範囲】
【請求項１】生体組織を処置する一つ若しくは複数の電気的処置具と、前記電気的処置具を接続する処置具駆動装置と、前記処置具駆動装置を制御するシステムコントローラとを備えた電気手術システムにおいて、
前記処置具駆動装置に接続された前記電気的処置具の複数の動作パラメータを読み取る読み取り手段と、
前記読み取り手段で読み取った複数の前記動作パラメータに基づいて、前記システムコントローラが前記処置具駆動装置を制御可能な制御パラメータ範囲を決定する制御パラメータ範囲決定手段と
を具備することを特徴とする電気手術システム。
【請求項２】前記制御パラメータ範囲決定手段は、複数の前記動作パラメータに優先度を付与する
を具備することを特徴とする請求項１に記載の電気手術システム。
【請求項３】前記処置具駆動装置は、電気メス装置である
ことを特徴とする請求項１または２に記載の電気手術システム。
【請求項４】前記電気的処置具は、モノポーラ処置具である
ことを特徴とする請求項３に記載の電気手術システム。
【請求項５】前記電気的処置具は、バイポーラ処置具である
ことを特徴とする請求項３に記載の電気手術システム。
【請求項６】前記処置具駆動装置は、超音波出力装置である
ことを特徴とする請求項１または２に記載の電気手術システム。
【請求項７】前記電気的処置具は、凝固切開用処置具である
ことを特徴とする請求項６に記載の電気手術システム。
【請求項８】前記電気的処置具は、結石破砕処置具である
ことを特徴とする請求項６に記載の電気手術システム。
【請求項９】前記電気的処置具は、超音波吸引処置具である
ことを特徴とする請求項６に記載の電気手術システム。
【請求項１０】送水吸引装置を備えた
ことを特徴とする請求項８または９に記載の電気手術システム。
【請求項１１】生体組織を処置する一つ若しくは複数の電気的処置具と、前記電気的処置具を接続する処置具駆動装置と、前記処置具駆動装置を制御するシステムコントローラとを備えた電気手術システムの制御方法において、
前記処置具駆動装置と前記システムコントローラとの回線を確立する回線確立ステップと、
前記処置具駆動装置に接続されている処置具の種別情報及び設定情報を前記処置具駆動装置から前記システムコントローラに送信する情報送信ステップと、
そして、前記システムコントローラにおいて前記種別情報及び設定情報に基づき前記複数の電気的処置具の出力設定値を初期化する初期化ステップと
を備えたことを特徴とする電気手術システムの制御方法。
【請求項１２】前記処置具駆動装置は、電気メス装置である
ことを特徴とする請求項１１に記載の電気手術システムの制御方法。
【請求項１３】前記処置具駆動装置は、超音波出力装置である
ことを特徴とする請求項１１に記載の電気手術システムの制御方法。
【請求項１４】前記処置具駆動装置は、送水吸引装置である
ことを特徴とする請求項１１に記載の電気手術システムの制御方法。
【請求項１５】生体組織を処置する一つ若しくは複数の電気的処置具と、前記電気的処置具を接続する処置具駆動装置と、前記処置具駆動装置を制御するシステムコントローラとを備えた電気手術システムにおいて、
前記処置具駆動装置と前記システムコントローラとの回線を確立する回線確立手段と、
前記処置具駆動装置に接続されている処置具の種別情報及び設定情報を前記処置具駆動装置から前記システムコントローラに送信する情報送信手段と、
そして、前記システムコントローラにおいて前記種別情報及び設定情報に基づき前記処置具駆動装置の出力設定値を初期化する初期化手段と
を備えたことを特徴とする電気手術システム。
【請求項１６】前記処置具駆動装置は、電気メス装置である
ことを特徴とする請求項１５に記載の電気手術システム。
【請求項１７】前記処置具駆動装置は、超音波出力装置である
ことを特徴とする請求項１５に記載の電気手術システム。
【請求項１８】前記処置具駆動装置は、送水吸引装置である
ことを特徴とする請求項１５に記載の電気手術システム。
【請求項１９】超音波処置装置により生体組織を処置する際に前記生体組織に対して送水吸引を行う送水吸引装置の処置制御方法において、
接続されている処置具の種別を検知する検知ステップと、
検知された前記処置具が超音波吸引処置具であるかどうか判断する処置具判断ステップと、
前記処置具判断ステップの判断結果に基づき前記送水吸引装置の送水設定範囲を設定する送水設定範囲設定ステップと
を具備したことを特徴とする送水吸引装置の処置制御方法。
【請求項２０】超音波処置装置により生体組織を処置する際に前記生体組織に対して送水吸引を行う送水吸引装置において、
接続されている処置具の種別を検知する検知手段と、
検知された前記処置具が超音波吸引処置具であるかどうか判断する処置具判断手段と、
前記処置具判断手段の判断結果に基づき前記送水吸引装置の送水設定範囲を設定する送水設定範囲設定手段と
を具備したことを特徴とする送水吸引装置。
【発明の詳細な説明】
【０００１】
【発明の属する技術分野】
本発明は電気的に治療のための処置を行う電気手術システムに関する。
【０００２】
【従来の技術】
近年、高周波電流を通電して治療のための処置を行う電気メス装置や超音波を利用して治療のための処置を行う超音波処置装置等の電気処置装置が広く用いられるようになった。
【０００３】
例えば特開２０００−２５４１４２号公報の電気外科手術装置においては、処置具の絶縁破壊を防止するために、処置具の定格電圧を電気外科手術装置に入力することで、電気外科手術装置の出力電圧が処置具の定格電圧以下になるような電気外科手術装置が開示されている。
【０００４】
また、特開昭６４−６７２８６号公報では、超音波手術装置の中の、特に結石破砕装置に適した、周波数／振幅を変調した超音波出力方式が開示されている。
【０００５】
さらに、特開２００１−１６６９５８号公報には、医療機器に格納されているプログラムを外郎の遠隔操作用コンピュータから、通信回線を利用して、書換え／更新できるシステムが開示されている。
【０００６】
【特許文献１】
特開２０００−２５４１４２号公報
【０００７】
【特許文献２】
特開昭６４−６７２８６号公報
【０００８】
【特許文献３】
特開２００１−１６６９５８号公報
【０００９】
【発明が解決しようとする課題】
しかしながら、電気外科手術装置における複数の医療機器が接続するシステムコントローラにおいては、処置具を判別した結果、各医療機器を自動設定できることにより操作性の向上をもたらすが、システムコントローラには各医療機器の固定情報をあらかじめ入力しておく必要があり、各医療機器が新しい処置具に対応するため、または、各医療機器に各種モードが追加された場合には、その都度、システムコントローラのバージョンアップを行う必要があり、従来の電気外科手術システムはメンテナンスを常に必要とするいった問題がある。
【００１０】
本発明は、上記事情に鑑みてなされたものであり、本発明の結果、新しく開発された電気メス、及び、処置具をシステムコントローラと組み合わせても、システムコントローラが各医療機器の固定情報を取得可能であり、操作性が向上し、またシステムコントローラにて誤って処置具の定格を超える設定を行うことがあっても、前記取得された固定情報により、処置具の絶縁破壊等の破損から防ぐことのできるフレキシブル且つ安全な電気手術システムを提供することを目的としている。
【００１１】
【課題を解決するための手段】
本発明の電気手術システムは、生体組織を処置する一つ若しくは複数の電気的処置具と、前記電気的処置具を接続する処置具駆動装置と、前記処置具駆動装置を制御するシステムコントローラとを備えた電気手術システムにおいて、前記処置具駆動装置に接続された前記電気的処置具の複数の動作パラメータを読み取る読み取り手段と、前記読み取り手段で読み取った複数の前記動作パラメータに基づいて、前記システムコントローラが前記処置具駆動装置を制御可能な制御パラメータ範囲を決定する制御パラメータ範囲決定手段とを備えて構成される。
【００１２】
【発明の実施の形態】
以下、図面を参照しながら本発明の実施の形態について述べる。
【００１３】
図１ないし図９は本発明の一実施の形態に係わり、図１は電気外科手術システムの構成を示す構成図、図２は図１の電気メス装置の構成を示すブロック図、図３は図１の超音波出力装置の構成を示すブロック図、図４は図１の送水吸引装置の構成を示すブロック図、図５は図１のシステムコントローラの構成を示すブロック図、図８は図１の電気外科手術システムの作用を説明する第１のフローチャート、図６は図１の電気メス装置が判別した接続されている処置具の種別を示す送信データのデータ構造を示す図、図７は図１の超音波出力装置が判別した接続されている処置具の種別を示す送信データのデータ構造を示す図、図９は図１の電気外科手術システムの作用を説明する第２のフローチャートである。
【００１４】
本実施の形態の電気外科手術システムは、図１に示すように、電気メス装置１、超音波出力装置２、送水吸引装置３及びシステムコントローラ４とから構成され、電気メス装置１、超音波出力装置２及び送水吸引装置３がシステムコントローラ４と通信ケーブル５により接続され、互いにステータス、制御情報の送受信を行うようになっている。
【００１５】
電気メス装置１には、モノポーラ処置具６、又は、バイポーラ処置具７が電気メスコード１１により選択的に接続され、電気メス装置１は、各処置具先端から電気メス出力を組織に印加することで、組織を切開、及び、凝固するのに用いられる。
【００１６】
超音波出力装置２には、凝固切開用処置具８、超音波吸引処置具９、結石破砕処置具１０が、超音波ケーブル１２により選択的に接続され、超音波出力装置２は、各処置具先端から超音波出力を発生することで、組織を凝固切開、乳化吸引、破砕吸引するのに用いられる。
【００１７】
また、送水吸引装置３には、超音波吸引処置具９、結石破砕処置具１０が、送水吸引チューブ１３により選択的に接続され、送水吸引装置３は、各処置具先端から洗浄水を送水すると共に、乳化した組織を吸引、又は、破砕した結石を吸引するのに用いられる。
【００１８】
また、電気メス装置１は、図２に示すように、モノポーラ処置具６またはバイポーラ処置具７の電気コード１１を接続するためのコネクタ２５と、このコネクタ２５に接続された処置具に設けられたＩＤを検出する処置具ＩＤ検出部２４と、コネクタ２５を介して処置具に処置用の高周波電流を発生して出力する出力部２３と、出力部２３で発生される高周波電流を制御する制御部２２と、処置具ＩＤ検出部２４から送信される処置具ＩＤ情報及び出力部２３の制御情報を制御部２２とシステムコントローラ４との間で通信するデータ送受信部２１とで構成されている。
【００１９】
超音波出力装置２は、図３に示すように、凝固切開処置具８、超音波吸引処置具９、または結石破砕処置具１０の超音波ケーブル１２を接続するためのコネクタ３５と、このコネクタ３５に接続された処置具に設けられたＩＤを検出する処置具ＩＤ検出部３４と、コネクタ３５を介して処置具に設けらられた超音波振動子に駆動信号を発生して出力する出力部３３と、出力部３３で発生される駆動信号を制御する制御部３２と、処置具ＩＤ検出部３４から送信される処置具ＩＤ情報及び出力部２３の制御情報を制御部３２とシステムコントローラ４との間で通信するデータ送受信部３１とで構成されている。
【００２０】
また、送水吸引装置３は、図４に示すように、超音波吸引処置具９、または結石破砕処置具１０の送水吸引チューブ１３を接続するためのコネクタ４５と、このコネクタ４５介して処置具に送水する送水部４３と、コネクタ４５を介して処置具から吸引する吸引部４４と、送水部４３及び吸引部４４を制御する制御部４２と、送水部４３及び吸引部４４の制御情報を制御部４２とシステムコントローラ４との間で通信するデータ送受信部４１とで構成されている。
【００２１】
さらに、システムコントローラ４は、図５に示すように、電気メス装置１、超音波出力装置２、及び送水吸引装置３を操作するために操作画面を表示するとともに、この表示された操作画面から操作指示情報を入力可能にクッチパネル機能を有する操作・表示部５３と、電気メス装置１、超音波出力装置２及び送水吸引装置３の動作パラメータや制御コマンド等のデータや制御プログラムを格納するためのメモリ部５４と、この格納された制御プログラムを実行することにより各装置を集中制御する制御部５２と、データ送受信部２１、３１、または４１との間で通信するデータ送受信部５１とで構成され、システムコントローラ４は、操作・表示部５３で、電気メス装置１、超音波出力装置２、送水吸引装置３の各装置の操作、及び、モード、設定出力の表示が可能となっている。
【００２２】
次に、本実施の形態の特徴について説明する。近年、内視鏡外科の発達に伴い、精密な処置具が開発されている。その構造が精密であるがゆえ、その処置具を用いるときには、電気メス装置の設定、及び、超音波出力装置の設定は、各機器の定格出力よりも低い設定で使用する必要がある。仮に、これ以上の設定を行い、上記処置具から出力すると、処置具の破壊を招く。
【００２３】
このような問題を解決するため、従来より各機器では、ここでは図示しないが、処置具の種別を判別し、その処置具に応じた出力モード、出力設定の上限を規定している。
【００２４】
しかし、従来のシステムコントローラでは、各機器の操作が可能なことから、あらかじめ処置具の種類をメモリに記憶し、その処置具が接続されたら、その処置具に応じた設定情報をメモリから読み出し、表示及び操作を可能としていた。
【００２５】
このため、システムコントローラが開発されてから、処置具が開発されると、システムコントローラのメモリに該当する処置具の種類、及び、設定情報が記憶されていない問題が発生し、システムコントローラのメモリをバージョンアップする必要があった。
【００２６】
本実施の形態の特徴は、処置具を該当機器（電気メス装置１、超音波出力装置２）に接続すると、各機器（電気メス装置１、超音波出力装置２）からシステムコントローラ４に、処置具の種別、及び、モード、設定情報を送信することで、システムコントローラ４で新しい処置具に対しても、表示、及び、操作を可能とすることである。
【００２７】
詳細には、図８に示すように、ステップＳ１で各機器（電気メス装置１、超音波出力装置２）とシステムコントローラ４との回線を確立し、ステップＳ２で各機器（電気メス装置１、超音波出力装置２）にて処置具の種別（ＩＤ）からモード、設定範囲データを生成し、ステップＳ３で各機器（電気メス装置１、超音波出力装置２）に接続されている処置具の種別（ＩＤ）、モード、設定範囲等の送信データを各機器（電気メス装置１、超音波出力装置２）からシステムコントローラ４に送信する。そして、ステップＳ４でシステムコントローラ４では送信データをメモリ部５４に格納し保持することで、各機器（電気メス装置１、超音波出力装置２）の出力設定値を初期化し、ステップＳ５でシステムコントローラ４において、ユーザからの各機器（電気メス装置１、超音波出力装置２）のモード設定、出力設定を受け付け、システムコントローラ４により各機器（電気メス装置１、超音波出力装置２）の制御を開始し処理を終了する。
【００２８】
（１）電気メス装置１に対する対応；
例えば、電気メス装置１に、新しく開発されたモノポーラ処置具６、又は、バイポーラ処置具７を接続する。
【００２９】
電気メス装置１は接続された処置具を判別し、システムコントローラ４に対して、例えば図６に示すような処置具種別のための処置具ＩＤデータ、モノポーラ／バイポーラ種別データ、許容モード（切開／凝固）データ、許容出力範囲データからなる送信データを送信する。
【００３０】
図８を例に説明すると、電気メス装置１にモノポーラ処置具６を接続した場合には、以下のような送信データが送信される。
【００３１】
（１−１）モノポーラ処置具６：
処置具ＩＤデータ＝処置具ＩＤ、モノポーラ／バイポーラ種別データ＝モノポーラ、許容モード（切開／凝固）データ＝切開及び凝固、許容出力範囲データ＝切開０〜１５０Ｗ、凝固０〜８０Ｗ。
【００３２】
（１−２）バイポーラ処置具７：
処置具ＩＤデータ＝処置具ＩＤ、モノポーラ／バイポーラ種別データ＝バイポーラ、許容モード（切開／凝固）データ＝凝固、許容出力範囲データ＝凝固０〜１００Ｗ。
【００３３】
（２）超音波出力装置２に対する対応；
超音波出力装置２の場合、使用する処置具により、送水吸引装置３との連動制御がなされる。
【００３４】
例えば、超音波出力装置２に、新しく開発された凝固切開用処置具８、超音波吸引処置具９、又は、結石破砕処置具１０を接続する。
【００３５】
超音波出力装置２は接続された処置具を判別し、システムコントローラ４に対して、例えば図６に示すような処置具種別のための処置具ＩＤデータ、モノポーラ／バイポーラ種別データ、出力モードデータ、送水吸引装置３との連動／非連動データ、超音波出力設定範囲データ、送水設定範囲データ、吸引設定範囲データからなる送信データを送信する。
【００３６】
図６を例に説明すると、超音波出力装置２に凝固切開用処置具８を接続した場合には、以下のような送信データが送信される。
【００３７】
なお、超音波出力装置２の各処置具の出力設定の上限は、その処置具の先端形状や、先端振幅により決定される。例えば、細い処置具の場合、処置具先端の超音波振動による応力歪みが大きいため、許容される振幅は小さなものとなる。
【００３８】
（２−１）凝固切開処置具８：
処置具ＩＤデータ＝処置具ＩＤ、出力モードデータ＝正弦波出力、送水吸引装置３との連動／非連動データ＝非連動、超音波出力設定範囲データ＝超音波出力０〜１００％。
【００３９】
（２−２）超音波吸引処置具９：
処置具ＩＤデータ＝処置具ＩＤ、出力モードデータ＝正弦波出力、送水吸引装置３との連動／非連動データ＝連動、超音波出力設定範囲データ＝超音波出力０〜８０％、送水設定範囲データ＝送水３０〜１００％、吸引設定範囲データ＝吸引０〜１００％。
【００４０】
ここで、超音波吸引処置具９の場合は、洗浄水の送水の目的が単に組織を洗浄するだけではなく、処置具が超音波振動をすることにより発生する熱を冷却するため設定可能な送水量は０％からではない。
【００４１】
このため、各超音波設定に対して、許容できる最低送水量が規定されており、この最低送水量以下には送水量の設定は下げられない制御を行っている。
【００４２】
すなわち、超音波出力装置２では、図９に示すように、ステップＳ１１で接続されている処置具の種別を検知すると、ステップＳ１２でその処置具が超音波吸引処置具９であるかどうか判断し、超音波吸引処置具９ならばステップＳ１３で下限送水設定値を超音波出力設定値に基づき算出される最低送水値に設定し、ステップＳ１４で送水設定範囲を下限送水設定値（％）〜１００（％）として処理を終了する。ステップＳ１２において超音波吸引処置具９でないと判断すると、ステップＳ１５で送水設定を禁止し送水設定範囲を０（％）〜１００（％）として処理を終了する。
【００４３】
この処理は、送水吸引装置の送水設定に先立って、超音波吸引処置具９の最低送水量というパラメータにより高い優先度を与えるものであり、当該最低送水量を満足しない送水設定はすることができない。このような一定の動作パラメータに高い優先度を洗える例は本実施の形態にとどまらない。
【００４４】
このように超音波吸引処置具９を用いた場合には、送水吸引装置３の設定範囲は、他の機器（超音波出力装置２）の設定（超音波出力設定値）により制限される。
【００４５】
（２−３）結石破砕処置具１０：
処置具ＩＤデータ＝処置具ＩＤ、出力モードデータ＝変調出力、送水吸引装置３との連動／非連動データ＝連動、超音波出力設定範囲データ＝超音波出力０〜５０％、送水設定範囲データ＝送水０〜１００％、吸引設定範囲データ＝吸引０〜１００％。
【００４６】
ここで、送信データの出力モードデータは、凝固切開処置具８及び吸引処置具９を使用する場合には正弦波出力とすることで、組織への作用手順から、通常、連続した超音波出力を組織に投与することで所望の効果が得られる。一方、結石破砕処置具１０を使用する場合には、出力モードデータを変調出力とすることで、処置具先端を横振動させた方が砕石力が向上することが確認されているため、通常、変調した超音波出力を処置具に投与することで、結石に対して縦振動と横振動が投与され、所望の効果が得られる。
【００４７】
また、送水吸引装置３の連動／非連動は、通常、吸引処置具９を使用する場合には、組織を洗浄しながら、乳化した組織、及び、血液等を吸引するため、超音波出力に連動して、送水吸引を行うため連動となる。また、結石破砕処置具１０使用する場合にも、尿管、腎等の腔に洗浄水を充満させて結石を破砕して、その結石を吸引回収するため連動となる。その洗浄水の送水量の設定、及び、吸引量の設定を送水吸引装置３にて行う。
【００４８】
このような構成、作用を取ることで、新しく開発された電気メス、及び、処置具をシステムコントローラと組み合わせても、柔軟に対応が可能となり、操作性が向上し、またシステムコントローラにて処置具の定格を超える設定を行うことにより、処置具の絶縁破壊等の破損から防ぐことが可能となる。
【００４９】
なお、上記構成は、各処置具の種別を各機器に接続した結果、各機器で処置具の種別を判別し、それに基づき設定可能なモード、出力範囲をシステムコントローラに送信しているが、近年、メモリが小型化しているため、メモリを搭載した処置具自身に、そのデータが書き込まれていて、そのデータを各機器、及び、システムコントローラに送信して制御できるものであってもよい。この場合、全体的な構成の変化は、各機器で処置具を判別し、各種パラメータを記憶していたものが、各処置具に記憶部が移動したに過ぎない。
【００５０】
本発明は、上述した実施の形態に限定されるものではなく、本発明の要旨を変えない範囲において、種々の変更、改変等が可能である。
【００５１】
この発明においては、広い範囲において異なる実施態様が、発明の精神及び範囲から逸脱することなく、この発明に基づいて構成できることは明白である。この発明は、添付のクレームによって限定される以外には、それの特定実施態様によって制約されない。
【００５２】
【発明の効果】
以上説明したように本発明によれば、新しく開発された電気メス、及び、処置具をシステムコントローラと組み合わせても、システムコントローラが各医療機器の固定情報を取得可能であり、操作性が向上し、またシステムコントローラにて誤って処置具の定格を超える設定を行うことがあっても、前記取得された固定情報により、処置具の絶縁破壊等の破損から防ぐことができるという効果がある。
【図面の簡単な説明】
【図１】
本発明の一実施の形態に係る電気外科手術システムの構成を示す構成図
【図２】
図１の電気メス装置の構成を示すブロック図
【図３】
図１の超音波出力装置の構成を示すブロック図
【図４】
図１の送水吸引装置の構成を示すブロック図
【図５】
図１のシステムコントローラの構成を示すブロック図
【図６】
図１の電気メス装置が判別した接続されている処置具の種別を示す送信データのデータ構造を示す図
【図７】
図１の超音波出力装置が判別した接続されている処置具の種別を示す送信データのデータ構造を示す図
【図８】
図１の電気外科手術システムの作用を説明する第１のフローチャート
【図９】
図１の電気外科手術システムの作用を説明する第２のフローチャート
【符号の説明】
１…電気メス装置
２…超音波出力装置
３…送水吸引装置
４…システムコントローラ
５…通信ケーブル
６…モノポーラ処置具
７…バイポーラ処置具
８…凝固切開用処置具
９…超音波吸引処置具
１０…結石破砕処置具
１１…電気メスコード
１２…超音波ケーブル
１３…送水吸引チューブ
【手続補正２】
【補正対象書類名】図面
【補正対象項目名】図４
【補正方法】変更
【補正の内容】
【図４】
2004037104.tif 000012
【手続補正書】
【提出日】平成17年8月23日(2005.8.23)
【手続補正１】
【補正対象書類名】手続補正書
【補正対象項目名】手続補正１
【補正方法】変更
【補正の内容】
【手続補正１】
【補正対象書類名】明細書
【補正対象項目名】全文
【補正方法】変更
【補正の内容】
【発明の詳細な説明】
【技術分野】
【０００１】
本発明は電気的に治療のための処置を行う電気手術システムに関する。
【背景技術】
【０００２】
近年、高周波電流を通電して治療のための処置を行う電気メス装置や超音波を利用して治療のための処置を行う超音波処置装置等の電気処置装置が広く用いられるようになった。
【０００３】
例えば特開２０００−２５４１４２号公報の電気外科手術装置においては、処置具の絶縁破壊を防止するために、処置具の定格電圧を電気外科手術装置に入力することで、電気外科手術装置の出力電圧が処置具の定格電圧以下になるような電気外科手術装置が開示されている。
【０００４】
また、特開昭６４−６７２８６号公報では、超音波手術装置の中の、特に結石破砕装置に適した、周波数／振幅を変調した超音波出力方式が開示されている。
【０００５】
さらに、特開２００１−１６６９５８号公報には、医療機器に格納されているプログラムを外郎の遠隔操作用コンピュータから、通信回線を利用して、書換え／更新できるシステムが開示されている。
【特許文献１】特開２０００−２５４１４２号公報
【特許文献２】特開昭６４−６７２８６号公報
【特許文献３】特開２００１−１６６９５８号公報
【発明の開示】
【発明が解決しようとする課題】
【０００６】
しかしながら、電気外科手術装置における複数の医療機器が接続するシステムコントローラにおいては、処置具を判別した結果、各医療機器を自動設定できることにより操作性の向上をもたらすが、システムコントローラには各医療機器の固定情報をあらかじめ入力しておく必要があり、各医療機器が新しい処置具に対応するため、または、各医療機器に各種モードが追加された場合には、その都度、システムコントローラのバージョンアップを行う必要があり、従来の電気外科手術システムはメンテナンスを常に必要とするいった問題がある。
【０００７】
本発明は、上記事情に鑑みてなされたものであり、本発明の結果、新しく開発された電気メス、及び、処置具をシステムコントローラと組み合わせても、システムコントローラが各医療機器の固定情報を取得可能であり、操作性が向上し、またシステムコントローラにて誤って処置具の定格を超える設定を行うことがあっても、前記取得された固定情報により、処置具の絶縁破壊等の破損から防ぐことのできるフレキシブル且つ安全な電気手術システムを提供することを目的としている。
【課題を解決するための手段】
【０００８】
本発明の電気手術システムは、生体組織を処置する一つ若しくは複数の電気的処置具と、前記電気的処置具を接続する処置具駆動装置と、前記処置具駆動装置を制御するシステムコントローラとを備えた電気手術システムにおいて、前記処置具駆動装置に接続された前記電気的処置具の複数の動作パラメータを読み取る読み取り手段と、前記読み取り手段で読み取った複数の前記動作パラメータに基づいて、前記システムコントローラが前記処置具駆動装置を制御可能な制御パラメータ範囲を決定する制御パラメータ範囲決定手段とを備えて構成される。
【発明の効果】
【０００９】
本発明によれば、新しく開発された電気メス、及び、処置具をシステムコントローラと組み合わせても、システムコントローラが各医療機器の固定情報を取得可能であり、操作性が向上し、またシステムコントローラにて誤って処置具の定格を超える設定を行うことがあっても、前記取得された固定情報により、処置具の絶縁破壊等の破損から防ぐことができるという効果がある。
【発明を実施するための最良の形態】
【００１０】
以下、図面を参照しながら本発明の実施の形態について述べる。
【実施例１】
【００１１】
図１ないし図９は本発明の一実施の形態に係わり、図１は電気外科手術システムの構成を示す構成図、図２は図１の電気メス装置の構成を示すブロック図、図３は図１の超音波出力装置の構成を示すブロック図、図４は図１の送水吸引装置の構成を示すブロック図、図５は図１のシステムコントローラの構成を示すブロック図、図８は図１の電気外科手術システムの作用を説明する第１のフローチャート、図６は図１の電気メス装置が判別した接続されている処置具の種別を示す送信データのデータ構造を示す図、図７は図１の超音波出力装置が判別した接続されている処置具の種別を示す送信データのデータ構造を示す図、図９は図１の電気外科手術システムの作用を説明する第２のフローチャートである。
【００１２】
本実施の形態の電気外科手術システムは、図１に示すように、電気メス装置１、超音波出力装置２、送水吸引装置３及びシステムコントローラ４とから構成され、電気メス装置１、超音波出力装置２及び送水吸引装置３がシステムコントローラ４と通信ケーブル５により接続され、互いにステータス、制御情報の送受信を行うようになっている。
【００１３】
電気メス装置１には、モノポーラ処置具６、又は、バイポーラ処置具７が電気メスコード１１により選択的に接続され、電気メス装置１は、各処置具先端から電気メス出力を組織に印加することで、組織を切開、及び、凝固するのに用いられる。
【００１４】
超音波出力装置２には、凝固切開用処置具８、超音波吸引処置具９、結石破砕処置具１０が、超音波ケーブル１２により選択的に接続され、超音波出力装置２は、各処置具先端から超音波出力を発生することで、組織を凝固切開、乳化吸引、破砕吸引するのに用いられる。
【００１５】
また、送水吸引装置３には、超音波吸引処置具９、結石破砕処置具１０が、送水吸引チューブ１３により選択的に接続され、送水吸引装置３は、各処置具先端から洗浄水を送水すると共に、乳化した組織を吸引、又は、破砕した結石を吸引するのに用いられる。
【００１６】
また、電気メス装置１は、図２に示すように、モノポーラ処置具６またはバイポーラ処置具７の電気コード１１を接続するためのコネクタ２５と、このコネクタ２５に接続された処置具に設けられたＩＤを検出する処置具ＩＤ検出部２４と、コネクタ２５を介して処置具に処置用の高周波電流を発生して出力する出力部２３と、出力部２３で発生される高周波電流を制御する制御部２２と、処置具ＩＤ検出部２４から送信される処置具ＩＤ情報及び出力部２３の制御情報を制御部２２とシステムコントローラ４との間で通信するデータ送受信部２１とで構成されている。
【００１７】
超音波出力装置２は、図３に示すように、凝固切開処置具８、超音波吸引処置具９、または結石破砕処置具１０の超音波ケーブル１２を接続するためのコネクタ３５と、このコネクタ３５に接続された処置具に設けられたＩＤを検出する処置具ＩＤ検出部３４と、コネクタ３５を介して処置具に設けらられた超音波振動子に駆動信号を発生して出力する出力部３３と、出力部３３で発生される駆動信号を制御する制御部３２と、処置具ＩＤ検出部３４から送信される処置具ＩＤ情報及び出力部２３の制御情報を制御部３２とシステムコントローラ４との間で通信するデータ送受信部３１とで構成されている。
【００１８】
また、送水吸引装置３は、図４に示すように、超音波吸引処置具９、または結石破砕処置具１０の送水吸引チューブ１３を接続するためのコネクタ４５と、このコネクタ４５介して処置具に送水する送水部４３と、コネクタ４５を介して処置具から吸引する吸引部４４と、送水部４３及び吸引部４４を制御する制御部４２と、送水部４３及び吸引部４４の制御情報を制御部４２とシステムコントローラ４との間で通信するデータ送受信部４１とで構成されている。
【００１９】
さらに、システムコントローラ４は、図５に示すように、電気メス装置１、超音波出力装置２、及び送水吸引装置３を操作するために操作画面を表示するとともに、この表示された操作画面から操作指示情報を入力可能にクッチパネル機能を有する操作・表示部５３と、電気メス装置１、超音波出力装置２及び送水吸引装置３の動作パラメータや制御コマンド等のデータや制御プログラムを格納するためのメモリ部５４と、この格納された制御プログラムを実行することにより各装置を集中制御する制御部５２と、データ送受信部２１、３１、または４１との間で通信するデータ送受信部５１とで構成され、システムコントローラ４は、操作・表示部５３で、電気メス装置１、超音波出力装置２、送水吸引装置３の各装置の操作、及び、モード、設定出力の表示が可能となっている。
【００２０】
次に、本実施の形態の特徴について説明する。近年、内視鏡外科の発達に伴い、精密な処置具が開発されている。その構造が精密であるがゆえ、その処置具を用いるときには、電気メス装置の設定、及び、超音波出力装置の設定は、各機器の定格出力よりも低い設定で使用する必要がある。仮に、これ以上の設定を行い、上記処置具から出力すると、処置具の破壊を招く。
【００２１】
このような問題を解決するため、従来より各機器では、ここでは図示しないが、処置具の種別を判別し、その処置具に応じた出力モード、出力設定の上限を規定している。
【００２２】
しかし、従来のシステムコントローラでは、各機器の操作が可能なことから、あらかじめ処置具の種類をメモリに記憶し、その処置具が接続されたら、その処置具に応じた設定情報をメモリから読み出し、表示及び操作を可能としていた。
【００２３】
このため、システムコントローラが開発されてから、処置具が開発されると、システムコントローラのメモリに該当する処置具の種類、及び、設定情報が記憶されていない問題が発生し、システムコントローラのメモリをバージョンアップする必要があった。
【００２４】
本実施の形態の特徴は、処置具を該当機器（電気メス装置１、超音波出力装置２）に接続すると、各機器（電気メス装置１、超音波出力装置２）からシステムコントローラ４に、処置具の種別、及び、モード、設定情報を送信することで、システムコントローラ４で新しい処置具に対しても、表示、及び、操作を可能とすることである。
【００２５】
詳細には、図８に示すように、ステップＳ１で各機器（電気メス装置１、超音波出力装置２）とシステムコントローラ４との回線を確立し、ステップＳ２で各機器（電気メス装置１、超音波出力装置２）にて処置具の種別（ＩＤ）からモード、設定範囲データを生成し、ステップＳ３で各機器（電気メス装置１、超音波出力装置２）に接続されている処置具の種別（ＩＤ）、モード、設定範囲等の送信データを各機器（電気メス装置１、超音波出力装置２）からシステムコントローラ４に送信する。そして、ステップＳ４でシステムコントローラ４では送信データをメモリ部５４に格納し保持することで、各機器（電気メス装置１、超音波出力装置２）の出力設定値を初期化し、ステップＳ５でシステムコントローラ４において、ユーザからの各機器（電気メス装置１、超音波出力装置２）のモード設定、出力設定を受け付け、システムコントローラ４により各機器（電気メス装置１、超音波出力装置２）の制御を開始し処理を終了する。
【００２６】
（１）電気メス装置１に対する対応；
例えば、電気メス装置１に、新しく開発されたモノポーラ処置具６、又は、バイポーラ処置具７を接続する。
【００２７】
電気メス装置１は接続された処置具を判別し、システムコントローラ４に対して、例えば図６に示すような処置具種別のための処置具ＩＤデータ、モノポーラ／バイポーラ種別データ、許容モード（切開／凝固）データ、許容出力範囲データからなる送信データを送信する。
【００２８】
図８を例に説明すると、電気メス装置１にモノポーラ処置具６を接続した場合には、以下のような送信データが送信される。
【００２９】
（１−１）モノポーラ処置具６：
処置具ＩＤデータ＝処置具ＩＤ、モノポーラ／バイポーラ種別データ＝モノポーラ、許容モード（切開／凝固）データ＝切開及び凝固、許容出力範囲データ＝切開０〜１５０Ｗ、凝固０〜８０Ｗ。
【００３０】
（１−２）バイポーラ処置具７：
処置具ＩＤデータ＝処置具ＩＤ、モノポーラ／バイポーラ種別データ＝バイポーラ、許容モード（切開／凝固）データ＝凝固、許容出力範囲データ＝凝固０〜１００Ｗ。
【００３１】
（２）超音波出力装置２に対する対応；
超音波出力装置２の場合、使用する処置具により、送水吸引装置３との連動制御がなされる。
【００３２】
例えば、超音波出力装置２に、新しく開発された凝固切開用処置具８、超音波吸引処置具９、又は、結石破砕処置具１０を接続する。
【００３３】
超音波出力装置２は接続された処置具を判別し、システムコントローラ４に対して、例えば図６に示すような処置具種別のための処置具ＩＤデータ、モノポーラ／バイポーラ種別データ、出力モードデータ、送水吸引装置３との連動／非連動データ、超音波出力設定範囲データ、送水設定範囲データ、吸引設定範囲データからなる送信データを送信する。
【００３４】
図６を例に説明すると、超音波出力装置２に凝固切開用処置具８を接続した場合には、以下のような送信データが送信される。
【００３５】
なお、超音波出力装置２の各処置具の出力設定の上限は、その処置具の先端形状や、先端振幅により決定される。例えば、細い処置具の場合、処置具先端の超音波振動による応力歪みが大きいため、許容される振幅は小さなものとなる。
【００３６】
（２−１）凝固切開処置具８：
処置具ＩＤデータ＝処置具ＩＤ、出力モードデータ＝正弦波出力、送水吸引装置３との連動／非連動データ＝非連動、超音波出力設定範囲データ＝超音波出力０〜１００％。
【００３７】
（２−２）超音波吸引処置具９：
処置具ＩＤデータ＝処置具ＩＤ、出力モードデータ＝正弦波出力、送水吸引装置３との連動／非連動データ＝連動、超音波出力設定範囲データ＝超音波出力０〜８０％、送水設定範囲データ＝送水３０〜１００％、吸引設定範囲データ＝吸引０〜１００％。
【００３８】
ここで、超音波吸引処置具９の場合は、洗浄水の送水の目的が単に組織を洗浄するだけではなく、処置具が超音波振動をすることにより発生する熱を冷却するため設定可能な送水量は０％からではない。
【００３９】
このため、各超音波設定に対して、許容できる最低送水量が規定されており、この最低送水量以下には送水量の設定は下げられない制御を行っている。
【００４０】
すなわち、超音波出力装置２では、図９に示すように、ステップＳ１１で接続されている処置具の種別を検知すると、ステップＳ１２でその処置具が超音波吸引処置具９であるかどうか判断し、超音波吸引処置具９ならばステップＳ１３で下限送水設定値を超音波出力設定値に基づき算出される最低送水値に設定し、ステップＳ１４で送水設定範囲を下限送水設定値（％）〜１００（％）として処理を終了する。ステップＳ１２において超音波吸引処置具９でないと判断すると、ステップＳ１５で送水設定を禁止し送水設定範囲を０（％）〜１００（％）として処理を終了する。
【００４１】
この処理は、送水吸引装置の送水設定に先立って、超音波吸引処置具９の最低送水量というパラメータにより高い優先度を与えるものであり、当該最低送水量を満足しない送水設定はすることができない。このような一定の動作パラメータに高い優先度を洗える例は本実施の形態にとどまらない。
【００４２】
このように超音波吸引処置具９を用いた場合には、送水吸引装置３の設定範囲は、他の機器（超音波出力装置２）の設定（超音波出力設定値）により制限される。
【００４３】
（２−３）結石破砕処置具１０：
処置具ＩＤデータ＝処置具ＩＤ、出力モードデータ＝変調出力、送水吸引装置３との連動／非連動データ＝連動、超音波出力設定範囲データ＝超音波出力０〜５０％、送水設定範囲データ＝送水０〜１００％、吸引設定範囲データ＝吸引０〜１００％。
【００４４】
ここで、送信データの出力モードデータは、凝固切開処置具８及び吸引処置具９を使用する場合には正弦波出力とすることで、組織への作用手順から、通常、連続した超音波出力を組織に投与することで所望の効果が得られる。一方、結石破砕処置具１０を使用する場合には、出力モードデータを変調出力とすることで、処置具先端を横振動させた方が砕石力が向上することが確認されているため、通常、変調した超音波出力を処置具に投与することで、結石に対して縦振動と横振動が投与され、所望の効果が得られる。
【００４５】
また、送水吸引装置３の連動／非連動は、通常、吸引処置具９を使用する場合には、組織を洗浄しながら、乳化した組織、及び、血液等を吸引するため、超音波出力に連動して、送水吸引を行うため連動となる。また、結石破砕処置具１０使用する場合にも、尿管、腎等の腔に洗浄水を充満させて結石を破砕して、その結石を吸引回収するため連動となる。その洗浄水の送水量の設定、及び、吸引量の設定を送水吸引装置３にて行う。
【００４６】
このような構成、作用を取ることで、新しく開発された電気メス、及び、処置具をシステムコントローラと組み合わせても、柔軟に対応が可能となり、操作性が向上し、またシステムコントローラにて処置具の定格を超える設定を行うことにより、処置具の絶縁破壊等の破損から防ぐことが可能となる。
【００４７】
なお、上記構成は、各処置具の種別を各機器に接続した結果、各機器で処置具の種別を判別し、それに基づき設定可能なモード、出力範囲をシステムコントローラに送信しているが、近年、メモリが小型化しているため、メモリを搭載した処置具自身に、そのデータが書き込まれていて、そのデータを各機器、及び、システムコントローラに送信して制御できるものであってもよい。この場合、全体的な構成の変化は、各機器で処置具を判別し、各種パラメータを記憶していたものが、各処置具に記憶部が移動したに過ぎない。
【００４８】
本発明は、上述した実施の形態に限定されるものではなく、本発明の要旨を変えない範囲において、種々の変更、改変等が可能である。
【００４９】
この発明においては、広い範囲において異なる実施態様が、発明の精神及び範囲から逸脱することなく、この発明に基づいて構成できることは明白である。この発明は、添付のクレームによって限定される以外には、それの特定実施態様によって制約されない。
【図面の簡単な説明】
【００５０】
【図１】本発明の一実施の形態に係る電気外科手術システムの構成を示す構成図
【図２】図１の電気メス装置の構成を示すブロック図
【図３】図１の超音波出力装置の構成を示すブロック図
【図４】図１の送水吸引装置の構成を示すブロック図
【図５】図１のシステムコントローラの構成を示すブロック図
【図６】図１の電気メス装置が判別した接続されている処置具の種別を示す送信データのデータ構造を示す図
【図７】図１の超音波出力装置が判別した接続されている処置具の種別を示す送信データのデータ構造を示す図
【図８】図１の電気外科手術システムの作用を説明する第１のフローチャート
【図９】図１の電気外科手術システムの作用を説明する第２のフローチャート
【符号の説明】
【００５１】
１…電気メス装置
２…超音波出力装置
３…送水吸引装置
４…システムコントローラ
５…通信ケーブル
６…モノポーラ処置具
７…バイポーラ処置具
８…凝固切開用処置具
９…超音波吸引処置具
１０…結石破砕処置具
１１…電気メスコード
１２…超音波ケーブル
１３…送水吸引チューブ
【手続補正２】
【補正対象書類名】手続補正書
【補正対象項目名】手続補正３
【補正方法】追加
【補正の内容】
【手続補正３】
【補正対象書類名】特許請求の範囲
【補正対象項目名】全文
【補正方法】変更
【補正の内容】
【特許請求の範囲】
【請求項１】
生体組織を処置する一つ若しくは複数の電気的処置具と、前記電気的処置具を接続する処置具駆動装置と、前記処置具駆動装置を制御するシステムコントローラとを備えた電気手術システムにおいて、
前記処置具駆動装置に接続された前記電気的処置具の複数の動作パラメータを読み取る読み取り手段と、
前記読み取り手段で読み取った複数の前記動作パラメータに基づいて、前記システムコントローラが前記処置具駆動装置を制御可能な制御パラメータ範囲を決定する制御パラメータ範囲決定手段と
を具備することを特徴とする電気手術システム。
【請求項２】
前記制御パラメータ範囲決定手段は、複数の前記動作パラメータに優先度を付与する
を具備することを特徴とする請求項１に記載の電気手術システム。
【請求項３】
前記処置具駆動装置は、電気メス装置である
ことを特徴とする請求項１または２に記載の電気手術システム。
【請求項４】
前記電気的処置具は、モノポーラ処置具である
ことを特徴とする請求項３に記載の電気手術システム。
【請求項５】
前記電気的処置具は、バイポーラ処置具である
ことを特徴とする請求項３に記載の電気手術システム。
【請求項６】
前記処置具駆動装置は、超音波出力装置である
ことを特徴とする請求項１または２に記載の電気手術システム。
【請求項７】
前記電気的処置具は、凝固切開用処置具である
ことを特徴とする請求項６に記載の電気手術システム。
【請求項８】
前記電気的処置具は、結石破砕処置具である
ことを特徴とする請求項６に記載の電気手術システム。
【請求項９】
前記電気的処置具は、超音波吸引処置具である
ことを特徴とする請求項６に記載の電気手術システム。
【請求項１０】
送水吸引装置を備えた
ことを特徴とする請求項８または９に記載の電気手術システム。
【請求項１１】
生体組織を処置する一つ若しくは複数の電気的処置具と、前記電気的処置具を接続する処置具駆動装置と、前記処置具駆動装置を制御するシステムコントローラとを備えた電気手術システムの制御方法において、
前記処置具駆動装置と前記システムコントローラとの回線を確立する回線確立ステップと、
前記処置具駆動装置に接続されている処置具の種別情報及び設定情報を前記処置具駆動装置から前記システムコントローラに送信する情報送信ステップと、
そして、前記システムコントローラにおいて前記種別情報及び設定情報に基づき前記複数の電気的処置具の出力設定値を初期化する初期化ステップと
を備えたことを特徴とする電気手術システムの制御方法。
【請求項１２】
前記処置具駆動装置は、電気メス装置である
ことを特徴とする請求項１１に記載の電気手術システムの制御方法。
【請求項１３】
前記処置具駆動装置は、超音波出力装置である
ことを特徴とする請求項１１に記載の電気手術システムの制御方法。
【請求項１４】
前記処置具駆動装置は、送水吸引装置である
ことを特徴とする請求項１１に記載の電気手術システムの制御方法。
【請求項１５】
生体組織を処置する一つ若しくは複数の電気的処置具と、前記電気的処置具を接続する処置具駆動装置と、前記処置具駆動装置を制御するシステムコントローラとを備えた電気手術システムにおいて、
前記処置具駆動装置と前記システムコントローラとの回線を確立する回線確立手段と、
前記処置具駆動装置に接続されている処置具の種別情報及び設定情報を前記処置具駆動装置から前記システムコントローラに送信する情報送信手段と、
そして、前記システムコントローラにおいて前記種別情報及び設定情報に基づき前記処置具駆動装置の出力設定値を初期化する初期化手段と
を備えたことを特徴とする電気手術システム。
【請求項１６】
前記処置具駆動装置は、電気メス装置である
ことを特徴とする請求項１５に記載の電気手術システム。
【請求項１７】
前記処置具駆動装置は、超音波出力装置である
ことを特徴とする請求項１５に記載の電気手術システム。
【請求項１８】
前記処置具駆動装置は、送水吸引装置である
ことを特徴とする請求項１５に記載の電気手術システム。
【請求項１９】
超音波処置装置により生体組織を処置する際に前記生体組織に対して送水吸引を行う送水吸引装置の処置制御方法において、
接続されている処置具の種別を検知する検知ステップと、
検知された前記処置具が超音波吸引処置具であるかどうか判断する処置具判断ステップと、
前記処置具判断ステップの判断結果に基づき前記送水吸引装置の送水設定範囲を設定する送水設定範囲設定ステップと
を具備したことを特徴とする送水吸引装置の処置制御方法。
【請求項２０】
超音波処置装置により生体組織を処置する際に前記生体組織に対して送水吸引を行う送水吸引装置において、
接続されている処置具の種別を検知する検知手段と、
検知された前記処置具が超音波吸引処置具であるかどうか判断する処置具判断手段と、
前記処置具判断手段の判断結果に基づき前記送水吸引装置の送水設定範囲を設定する送水設定範囲設定手段と
を具備したことを特徴とする送水吸引装置。
【国際調査報告】
2004037104.tif 000013
2004037104.tif 000014
2004037104.tif 000015
2004037104.tif 000016